(57)【要約】      （修正有）【課題】繊維状抗張力体の層を有する光ケーブルを保持部材に保持させる作業を容易にさせつつ、光ケーブルを十分な保持力で保持する光コネクタを提供する。【解決手段】光コネクタは、底壁部と一対の側壁部とが形成された本体部における底壁部及び一対の側壁部によって囲まれた空間に、繊維状抗張力体５の層を有する光ケーブル３を保持可能な保持部材２０と、保持部材２０を固定する固定部１８を有する光コネクタ本体１０と、を備え、保持部材２０は、本体部３０の底壁部の外面との間に繊維状抗張力体５を挟み込むための挟持部材４０を有し、固定部１８は、挟持部材４０及び底壁部が繊維状抗張力体５を挟む方向から本体部３０及び挟持部材４０を挟み込む一対の内面を有する。【選択図】図３
2017129628.tif 000002
【特許請求の範囲】
【請求項１】
底壁部と一対の側壁部とが形成された本体部における前記底壁部及び前記一対の側壁部によって囲まれた空間に、繊維状抗張力体の層を有する光ケーブルを保持可能な保持部材と、
前記保持部材を固定する固定部を有する光コネクタ本体と、
を備え、
前記保持部材は、前記本体部の前記底壁部の外面との間に前記繊維状抗張力体を挟み込むための挟持部材を有し、
前記固定部は、前記挟持部材及び前記底壁部が前記繊維状抗張力体を挟む方向から前記本体部及び前記挟持部材を挟み込む一対の内面を有する
ことを特徴とする光コネクタ。
【請求項２】
請求項１に記載の光コネクタであって、
前記本体部は、嵌合穴を有し、
前記挟持部材は、前記嵌合穴に嵌合する嵌合凸部を有する
ことを特徴とする光コネクタ。
【請求項３】
請求項１又は請求項２に記載の光コネクタであって、
前記本体部と前記挟持部材は、ヒンジ部を介して一体的に成型されている
ことを特徴とする光コネクタ。
【請求項４】
請求項３に記載の光コネクタであって、
前記ヒンジ部は、折り畳まれた状態の前記挟持部材の自由端から見て、前記光ケーブルの光ファイバ端部側に位置する
ことを特徴とする光コネクタ。
【請求項５】
請求項４に記載の光コネクタであって、
前記本体部の前縁は、前記ヒンジ部の折れ線よりも前記光ファイバ端部側に位置する
ことを特徴とする光コネクタ。
【請求項６】
請求項１〜請求項５の何れかに記載の光コネクタであって、
前記本体部は、前記光ケーブルの外被の端部と接触する位置決め部と、前記繊維状抗張力体を前記側壁部の内側から外側に排出する排出溝とを有し、
前記排出溝は、前記位置決め部よりも光ファイバ端部側に配置されている
ことを特徴とする光コネクタ。
【請求項７】
請求項６に記載の光コネクタであって、
前記位置決め部と前記排出溝との間には、前記光ファイバ端部側ほど徐々に広がるテーパ案内部が形成されている
ことを特徴とする光コネクタ。
【請求項８】
請求項６又は請求項７に記載の光コネクタであって、
前記排出溝と前記底壁部の下面との間には、湾曲した側面が形成されている
ことを特徴とする光コネクタ。
【請求項９】
請求項１〜請求項８の何れかに記載の光コネクタであって、
前記本体部の前記底壁部の外面には、前記光ケーブルの光軸方向に沿った収容溝が形成されており、
前記収容溝に前記挟持部材が配置される
ことを特徴とする光コネクタ。
【請求項１０】
請求項９に記載の光コネクタであって、
前記固定部の前記一対の内面のうち、前記挟持部材と対向する側の内面には、前記挟持部材の幅よりも広い溝が形成されている
ことを特徴とする光コネクタ。
【請求項１１】
請求項１〜請求項１０の何れかに記載の光コネクタであって、
前記底壁部の外面には凹凸が形成されており、
前記挟持部材には、前記底壁部の前記外面に形成された凹凸と噛み合うように凹凸が形成されている
ことを特徴とする光コネクタ。
【請求項１２】
請求項１１に記載の光コネクタであって、
前記固定部の前記一対の内面が前記本体部及び前記挟持部材に接触した状態で、前記底壁部の外面の凹凸と前記挟持部材の凹凸とが噛み合う状態になる
ことを特徴とする光コネクタ。
【請求項１３】
請求項１〜請求項１２の何れかに記載の光コネクタであって、
前記保持部材は、前記一対の側壁部から内側に突出して前記光ケーブルを把持する把持部を有する
ことを特徴とする光コネクタ。
【請求項１４】
請求項１〜請求項１３の何れかに記載の光コネクタであって、
前記保持部材は、前記光ケーブルの外被を収容する第１収容部とは別に、前記光ケーブルとは異なる外形の別の光ケーブルの外被を収容する第２収容部を有しており、
前記第１収容部に前記光ケーブルの外被を収容させた前記保持部材を前記固定部に固定するときと、前記第２収容部に前記光ケーブルの外被を収容させた前記保持部材を前記固定部に固定するときとでは、前記保持部材の前後方向が逆向きとなる
ことを特徴とする光コネクタ。
【請求項１５】
底壁部と一対の側壁部とが形成された本体部と、前記底壁部の外面との間に前記繊維状抗張力体を挟み込むための挟持部材とを有する保持部材を用意する工程と、
前記本体部における前記底壁部及び一対の側壁部によって囲まれた空間に、繊維状抗張力体の層を有する光ケーブル収容するとともに、前記繊維状抗張力体を前記底壁部の外面と前記挟持部材との間に挟み込む工程と、
固定部の一対の内面の間に前記保持部材を挿入し、前記挟持部材及び前記底壁部が前記繊維状抗張力体を挟む方向から前記本体部及び前記挟持部材を一対の内面に挟み込ませる工程と、
前記固定部に前記保持部材を固定する工程と
を有する光コネクタ製造方法。
【発明の詳細な説明】
【技術分野】
【０００１】
本発明は、光コネクタ、及び、光コネクタの製造方法に関する。
【背景技術】
【０００２】
光ファイバの端面同士を突き合わせることによって光ファイバを接続する装置として、例えば現場組立型光コネクタが知られている。現場組立型光コネクタは、光ファイバ敷設現場において光ケーブルの端末に容易に組み立て可能な構造の光コネクタである。組立前の光コネクタのフェルールには、工場にて予め内蔵ファイバが取り付けられているとともに、内蔵ファイバの端部がクランプ部（メカニカルスプライス部）に配置されている。組み立て作業現場において、外被把持部材に光ケーブルの外被を把持させるとともに、光ケーブルから口出しされた挿入ファイバの端部がクランプ部に挿入され、クランプ部において光ファイバ同士が突き合わせ接続されることになる。
【０００３】
特許文献１には、現場組立型光コネクタに用いられる外被把持部材の構造が記載されている。特許文献１記載の外被把持部材では、一対の側壁部の互いに対向する面に把持用突起が形成されており、把持用突起を光ケーブルの外被に食い込ませて、一対の側壁部の間に光ケーブルを把持固定させている。
【先行技術文献】
【特許文献】
【０００４】
【特許文献１】国際公開第２０１３／１２９４８５号
【発明の概要】
【発明が解決しようとする課題】
【０００５】
特許文献１記載の外被把持部材は、ドロップケーブルやインドアケーブルのような光ケーブルを把持することを想定している。ドロップケーブルやインドアケーブルのような光ケーブルは、光ファイバと一対の線状の抗張力体とを外被で一括被覆した断面角型の光ケーブルであるため、外被が比較的硬いので、外被把持部材の把持用突起を外被に食い込ませて光ケーブルを把持することが比較的容易である。
【０００６】
これに対し、光ファイバと外被との間に繊維状抗張力体（例えばケブラー（登録商標）など）が配置された光ケーブルの場合、繊維状抗張力体の層によって外被が変形しやすく、外被が柔らかいので、光ケーブルの両側から把持しても、十分な把持力が得られにくい。
【０００７】
本発明は、繊維状抗張力体の層を有する光ケーブルを保持部材に保持させる作業を容易にさせつつ、光ケーブルを十分な保持力で保持することを目的とする。
【課題を解決するための手段】
【０００８】
上記目的を達成するための主たる発明は、底壁部と一対の側壁部とが形成された本体部における前記底壁部及び前記一対の側壁部によって囲まれた空間に、繊維状抗張力体の層を有する光ケーブルを保持可能な保持部材と、前記保持部材を固定する固定部を有する光コネクタ本体と、を備え、前記保持部材は、前記本体部の前記底壁部の外面との間に前記繊維状抗張力体を挟み込むための挟持部材を有し、前記固定部は、前記挟持部材及び前記底壁部が前記繊維状抗張力体を挟む方向から前記本体部及び前記挟持部材を挟み込む一対の内面を有することを特徴とする光コネクタである。
【０００９】
本発明の他の特徴については、後述する明細書及び図面の記載により明らかにする。
【発明の効果】
【００１０】
本発明によれば、繊維状抗張力体の層を有する光ケーブルを保持部材に保持させる作業を容易にさせつつ、光ケーブルを十分な保持力で保持することができる。
【図面の簡単な説明】
【００１１】
【図１】図１Ａは、光コネクタ１００の斜視図である。図１Ｂは、光コネクタ１００の分解図である。
【図２】図２Ａは、外被把持部材２０を斜め上から見た斜視図であり、図２Ｂは、外被把持部材２０を斜め下から見た斜視図である。
【図３】図３Ａ〜図３Ｄは、丸型ケーブル３の端末に光コネクタ１００を組み立てる様子を示す説明図である。
【図４】図４Ａは、外部把持部材２０を固定部１８に挿入した状態を後側から見た図であり、図４Ｂは、外部把持部材２０を固定部１８に挿入した状態の側断面図である。
【図５】角型ケーブル６の端末に光コネクタ１００を組み立てる場合の説明図である。
【図６】外被把持部材２０の変形例の斜視図である。
【発明を実施するための形態】
【００１２】
後述する明細書及び図面の記載から、少なくとも以下の事項が明らかとなる。
【００１３】
底壁部と一対の側壁部とが形成された本体部における前記底壁部及び前記一対の側壁部によって囲まれた空間に、繊維状抗張力体の層を有する光ケーブルを保持可能な保持部材と、前記保持部材を固定する固定部を有する光コネクタ本体と、を備え、前記保持部材は、前記本体部の前記底壁部の外面との間に前記繊維状抗張力体を挟み込むための挟持部材を有し、前記固定部は、前記挟持部材及び前記底壁部が前記繊維状抗張力体を挟む方向から前記本体部及び前記挟持部材を挟み込む一対の内面を有することを特徴とする光コネクタが明らかとなる。このような光コネクタによれば、繊維状抗張力体の層を有する光ケーブルを保持部材に保持させる作業を容易にさせつつ、光ケーブルを十分な保持力で保持することができる。
【００１４】
前記本体部は、嵌合穴を有し、前記挟持部材は、前記嵌合穴に嵌合する嵌合凸部を有することが望ましい。これにより、仮止め可能な構成とすることができる。
【００１５】
前記本体部と前記挟持部材は、ヒンジ部を介して一体的に成型されていることが望ましい。これにより部品数を減らすことができる。
【００１６】
前記ヒンジ部は、折り畳まれた状態の前記挟持部材の自由端から見て、前記光ケーブルの光ファイバ端部側に位置することが望ましい。これにより、保持部材を固定部材に挿入するときに、本体部と挟持部材とが徐々に押圧されるようにできる。
【００１７】
前記本体部の前縁は、前記ヒンジ部の折れ線よりも前記光ファイバ端部側に位置することが望ましい。これにより、折り畳んだときにヒンジ部が出っ張らない。
【００１８】
前記本体部は、前記光ケーブルの外被の端部と接触する位置決め部と、前記繊維状抗張力体を前記側壁部の内側から外側に排出する排出溝とを有し、前記排出溝は、前記位置決め部よりも光ファイバ端部側に配置されていることが望ましい。これにより、繊維状抗張力体を排出溝から排出させつつ、光ケーブル（繊維状抗張力体の層を有する光ケーブル）の位置決めがしやすくなる。
【００１９】
前記位置決め部と前記排出溝との間には、前記光ファイバ端部側ほど徐々に広がるテーパ案内部が形成されていることが望ましい。これにより、繊維状抗張力体を排出溝に案内しやすくなる。
【００２０】
前記排出溝と前記底壁部の下面との間には、湾曲した側面が形成されていることが望ましい。これにより、排出溝から側壁部の外側に排出した繊維状抗張力体を、底壁部の下面に導きやすくなる。
【００２１】
前記本体部の前記底壁部の外面には、前記光ケーブルの光軸方向に沿った収容溝が形成されており、前記収容溝に前記挟持部材が配置されることが望ましい。これにより、本体部の収容溝の外側の部位がスライド面（案内面）となる。
【００２２】
前記固定部の前記一対の内面のうち、前記挟持部材と対向する側の内面には、前記挟持部材の幅よりも広い溝が形成されていることが望ましい。これにより、挟持部材を逃がすことができる。
【００２３】
前記底壁部の外面には凹凸が形成されており、前記挟持部材には、前記底壁部の前記外面に形成された凹凸と噛み合うように凹凸が形成されていることが望ましい。これにより、光ケーブルの保持力を向上させることができる。
【００２４】
前記固定部の前記一対の内面が前記本体部及び前記挟持部材に接触した状態で、前記底壁部の外面の凹凸と前記挟持部材の凹凸とが噛み合う状態になることが望ましい。これにより、光ケーブルの保持力を向上させることができる。
【００２５】
前記保持部材は、前記一対の側壁部から内側に突出して前記光ケーブルを把持する把持部を有することが望ましい。これにより、光ケーブルの繊維状抗張力体を底壁部の外面に導くときに、光ケーブルを安定して保持できる。
【００２６】
前記保持部材は、前記光ケーブルの外被を収容する第１収容部とは別に、前記光ケーブルとは異なる外形の別の光ケーブルの外被を収容する第２収容部を有しており、前記第１収容部に前記光ケーブルの外被を収容させた前記保持部材を前記固定部に固定するときと、前記第２収容部に前記光ケーブルの外被を収容させた前記保持部材を前記固定部に固定するときとでは、前記保持部材の前後方向が逆向きとなることが望ましい。これにより、光ケーブルの種類ごとに専用の保持部材を用意しなくて済む。
【００２７】
底壁部と一対の側壁部とが形成された本体部と、前記底壁部の外面との間に前記繊維状抗張力体を挟み込むための挟持部材とを有する保持部材を用意する工程と、前記本体部における前記底壁部及び一対の側壁部によって囲まれた空間に、繊維状抗張力体の層を有する光ケーブル収容するとともに、前記繊維状抗張力体を前記底壁部の外面と前記挟持部材との間に挟み込む工程と、固定部の一対の内面の間に前記保持部材を挿入し、前記挟持部材及び前記底壁部が前記繊維状抗張力体を挟む方向から前記本体部及び前記挟持部材を一対の内面に挟み込ませる工程と、前記固定部に前記保持部材を固定する工程とを有する光コネクタ製造方法が明らかとなる。このような光コネクタ製造方法によれば、繊維状抗張力体の層を有する光ケーブルを保持部材に保持させる作業を容易にさせつつ、光ケーブルを十分な保持力で保持することができる。
【００２８】
＝＝＝第１実施形態＝＝＝
＜全体構成＞
図１Ａは、光コネクタ１００の斜視図である。図１Ｂは、光コネクタ１００の分解図である。
【００２９】
以下の説明では、図１Ａに示すように各方向を定義する。すなわち、光ケーブルや光ファイバの光軸方向を「前後方向」とし、光ケーブルの延び出た側を「後」とし、逆側（光コネクタ１００のフェルール１３の端面側）を「前」とする。また、介挿部材１９の挿抜方向を上下方向とし、光コネクタ本体１０から見て介挿部材１９の側を「上」とし、逆側を「下」とする。また、前後方向及び上下方向に垂直な方向を「左右方向」とし、後側から前側を見たときの右側を「右」とし、左側を「左」とする。
【００３０】
光コネクタ１００は、メカニカルスプライス法により光ファイバを接続する現場組立型光コネクタであり、光ケーブルの端末に組み立てられる光コネクタである。光コネクタ１００は、例えばＳＣ形光コネクタ（ＪＩＳ  Ｃ５９７３に制定されるＦ０４形光コネクタ）である。
【００３１】
光コネクタ１００には、丸型ケーブル３の光ファイバ４を接続できる。丸型ケーブル３は、断面円形状の光ケーブルであり、光ファイバ４と外被との間に繊維状抗張力体５（図３参照）が配置された光ケーブルである。繊維状抗張力体５は、例えばケブラー（登録商標）である。
【００３２】
また、本実施形態の光コネクタ１００は、丸型ケーブル３の光ファイバ４だけでなく、角型ケーブル６の光ファイバ７を接続できる（図５参照）。角型ケーブル６は、断面矩形状の光ケーブルであり、例えばドロップケーブルやインドアケーブルである。角型ケーブル６は、光ファイバ７及び一対の線状の抗張力体（不図示）が外被で一括被覆された光ケーブルである。一対の抗張力体は、光ファイバ７を挟むように配置されている。一対の抗張力体が光ファイバ７を挟む方向が、角型ケーブル６の断面の長辺方向となる。
【００３３】
なお、角型ケーブル６の場合、光ファイバ７と一対の線状の抗張力体とを一括被覆した外被が比較的硬いので、角型ケーブル６を把持することが比較的容易である。
【００３４】
これに対し、丸型ケーブル３の場合、光ファイバ４と外被との間に繊維状抗張力体５の層があり、繊維状抗張力体の層によって外被が変形しやすく、外被が柔らかいので、光ケーブルの両側から把持しても、十分な把持力が得られにくい。そこで本実施形態では、後述するように、丸型ケーブル３の場合にも十分な保持力で保持できるようにしている。
【００３５】
光コネクタ１００は、光コネクタ本体１０と、介挿部材１９と、外被把持部材２０（保持部材に相当）とを備えている。
【００３６】
光コネクタ本体１０は、前側ハウジング１１と、クランプ付きフェルール１２と、スプリング１５と、後側ハウジング１６とを備えている。
【００３７】
前側ハウジング１１及び後側ハウジング１６は、クランプ付きフェルール１２を収容するハウジングである。前側ハウジング１１は後側ハウジング１６に取り付けられている。
【００３８】
クランプ付きフェルール１２は、スプリング１５によって後側ハウジング１６に対して前側に付勢されながら後退可能に収容されている。また、クランプ付きフェルール１２は、フェルール１３とクランプ部（メカニカルスプライス部）１４とを備えている。フェルール１３は、ここでは単心光コネクタに使用される円筒形状のフェルールである。内蔵ファイバ（不図示）の前側の端部は、フェルールに内挿固定されるとともに、フェルールとともに端面が研磨されている。内蔵ファイバの後側の端部は、クランプ部１４の調心溝に配置されている。クランプ部１４は、メカニカルスプライス法により内蔵ファイバと挿入ファイバ（ここでは光ファイバ４）とを軸合わせ（調心）するとともに、内蔵ファイバ及び挿入ファイバを固定する部材（光ファイバ接続装置）である。
【００３９】
スプリング１５は、後退可能に収容されたフェルール１３（クランプ付きフェルール１２）を前側に付勢するための部材である。
【００４０】
後側ハウジング１６は、ストップリング部１７と固定部１８とを備えている。
【００４１】
ストップリング部１７は、ストップリングとして機能を有し、スプリング１５の後端と接触している。
【００４２】
固定部１８は、外被把持部材２０を固定するための部位である。固定部１８は、上板部１８Ａと、一対の側板部１８Ｂと、底板部１８Ｃとを有している。上板部１８Ａ、一対の側板部１８Ｂ、及び、底板部１８Ｃの内面で囲まれた空間によって、外被把持部材２０を収容するための収容空間が形成されている。
【００４３】
上板部１８Ａは、前後方向に沿って固定部１８の上面を構成する部位である。上板部１８Ａは、外被把持部材２０の上側スライド面３２１（後述）を前後方向にスライドさせるスライド面となる。上板部１８Ａは、突起１８１を有している。突起１８１は、外被把持部材２０に把持された丸型ケーブル３の外被の端部を底板部１８Ｃ側（下側）に押圧する部位であり、上板部１８Ａの幅方向（左右方向）の中央において、下面から下方に突出するように設けられている。
【００４４】
側板部１８Ｂは、前後方向に沿って固定部１８の側面を構成する部位であり、固定部１８の左右方向の端部に一対設けられている。一対の側板部１８Ｂの内面は、外被把持部材２０のサイドスライド面３１３（後述）を前後方向にスライドさせるスライド面となる。一対の側板部１８Ｂは、それぞれ、係止爪部１８２を有している。係止爪部１８２は、側板部１８Ｂの内面から内側に向けて突出する爪（不図示）を有しており、固定部１８に外被把持部材２０を収容した際に、外被把持部材２０の係止部（第１係止部３３４、又は、第２係止部３４３）と係合する。この係合により、固定部１８に収容された外被把持部材２０の後方への移動を規制することができる。
【００４５】
底板部１８Ｃは、前後方向に沿って固定部１８の底面を構成する部位である。底板部１８Ｃの内面には、溝１８３が設けられている。溝１８３は、外被把持部材２０の舌部４０（挟持部材に相当）を逃がすための溝である。すなわち、本実施形態では、外被把持部材２０の本体部３０と舌部４０との間に繊維状抗張力体５を挟み込んだ際に、舌部４０が本体部３０に完全には密着しない（図３Ｃ、図３Ｄ参照）。そこで、底板部１８Ｃに溝１８３を設けることで、舌部４０を逃がすようにしている。なお、舌部４０を逃がすため、溝１８３の幅（左右方向の長さ）は、舌部４０の幅よりも広く形成されている。底板部１８Ｃにおける溝１８３の左右外側の部位は、外被把持部材２０の下側スライド面３１２（後述）を前後方向にスライドさせるスライド面となる。
【００４６】
本実施形態では、固定部１８に外被把持部材２０を挿入するとき、上板部１８Ａの下面と底板部１８Ｃの溝１８３の上面との間で外被把持部材２０の本体部３０と舌部４０とを押圧して、舌部４０と本体部３０（後述する底壁部３１）との間に繊維状抗張力体５を挟持固定させる。つまり、上板部１８Ａの下面、及び、底板部１８Ｃ（溝１８３）の上面は、上下方向（舌部４０及び本体部３０（底壁部３１）が繊維状抗張力体５を挟む方向）から本体部３０及び舌部４０を挟み込む一対の内面に相当する。
【００４７】
介挿部材１９は、光コネクタ本体１０のクランプ部１４の隙間を開閉させる部材である。光コネクタ本体１０の上面には挿通穴が形成されており、この挿通穴に、介挿部材１９の下側から延び出た介挿片（くさび：不図示）が挿通される。
【００４８】
＜外被把持部材２０＞
図２Ａは、外被把持部材２０を斜め上から見た斜視図であり、図２Ｂは、外被把持部材２０を斜め下から見た斜視図である。
【００４９】
外被把持部材２０は、丸型ケーブル３及び角型ケーブル６を保持可能な部材である。外被把持部材２０は、樹脂による一体成形品であり、本体部３０と、舌部４０と、ヒンジ部５０とを備えている。樹脂の材質はＰＯＭ（例えばジュラコン（登録商標））である。
【００５０】
（本体部３０の構成）
本体部３０は、底壁部３１と一対の側壁部３２を有しており、底壁部３１と一対の側壁部３２によって断面略Ｕ字状に構成されている。そして、この底壁部３１及び一対の側壁部３２によって囲まれた空間に、丸型ケーブル３及び角型ケーブル６を保持可能となっている。
【００５１】
底壁部３１は、前後方向に沿って本体部３０の底を形成する部位である。底壁部３１は、前後方向に長い長方形状の板状の部位であり、第１収容部３３（後述）を構成する第１底壁部３１Ａと、第２収容部３４（後述）を構成する第２底壁部３１Ｂと、中央部３５（後述）を構成する中央底壁部３１Ｃとを有している。
【００５２】
また、底壁部３１は、舌部収容溝３１１と、下側スライド面３１２と、サイドスライド面３１３とを有している。舌部収容溝３１１は、舌部４０を収容するための溝であり、底壁部３１の下面において前後方向に沿って設けられている。下側スライド面３１２は、舌部収容溝３１１の左右外側の部位であり、外被把持部材２０を固定部１８に挿入する際に、底板部１８Ｃの内面（溝１８３の左右外側の部位の下面）によって案内される。サイドスライド面３１３は、底壁部３１の左右端部（側部）であり、外被把持部材２０を固定部１８に挿入する際に、固定部１８の側板部１８Ｂの内面によって案内される。
【００５３】
側壁部３２は、前後方向に沿って本体部３０の側面を形成する部位である。側壁部３２は、底壁部３１の左右両縁から立ち上がるように形成された部位である。一対の側壁部３２は、左右方向に対向するように間隔をあけて配置されている。側壁部３２は、第１収容部３３（後述）を構成する第１側壁部３２Ａと、第２収容部３４（後述）を構成する第２側壁部３２Ｂと、中央部３５（後述）を構成する中央側壁部３２Ｃとを有している。また、側壁部３２は、上側スライド面３２１を有している。上側スライド面３２１は、側壁部３２の上側端面である。上側スライド面３２１は、外被把持部材２０を固定部１８に収容する際に、固定部１８の上板部１８Ａの内面（下面）によって案内される。
【００５４】
また、本体部３０は、第１収容部３３と、第２収容部３４と、中央部３５とを有している。
【００５５】
第１収容部３３は、丸型ケーブル５の外被部分を収容するための部位であり、本体部３０の後側端部に形成された部位である。また、第１収容部３３は、角型ケーブル６の光ファイバ７を挿通させる部位にもなる（図５参照）。第１収容部３３は、第１底壁部３１Ａ及び一対の第１側壁部３２Ａによって構成されている。
【００５６】
第１収容部３３を構成する第１底壁部３１Ａには、本体側挟持部３３１と第１スリット３３２が設けられている。
【００５７】
本体側挟持部３３１は、第１底壁部３１Ａの舌部収容溝３１１に設けられており、舌部４０（具体的には舌部側挟持部４２）との間で繊維状抗張力体５を挟持する部位である。図２Ｂに示すように、本体側挟持部３３１（第１底壁部３１Ａの外面）には凹凸が形成されている。
【００５８】
第１スリット３３２は、第１底壁部３１Ａの左右方向の中央において前後方向に沿って開口するように設けられている。第１スリット３３２が形成されることにより、第１収容部３３に角型ケーブル６の光ファイバ７を挿通させた場合の突合せ時に、撓んだ光ファイバ７を第１スリット３３２から逃がすことができ、光ファイバ７の湾曲を緩やかにさせることができる。
【００５９】
第１収容部３３を構成する一対の第１側壁部３２Ａには、案内溝３３３及び第１係止部３３４が設けられている。
【００６０】
案内溝３３３は、丸型ケーブル５を前後方向に案内するための溝であり、一対の第１側壁部３２Ａの内側において前後方向に沿って設けられている。
【００６１】
第１係止部３３４は、固定部１８の係止爪部１８２と係合する部位である。より具体的には、第１係止部３３４は、角型ケーブル６を用いる場合（図５参照）に固定部１８の係止爪部１８２と係合する。
【００６２】
第２収容部３４は、角型ケーブル６の外被部分を収容するための部位であり、本体部３０の前側端部に形成された部位である。第２収容部３４は、丸型ケーブル３の光ファイバ４を挿通させる部位にもなる。これにより、本実施形態の外被把持部材２０は、前後方向を逆にして角型ケーブル６にも対応可能である（図５参照）。第２収容部３４は、第２底壁部３１Ｂ及び一対の第２側壁部３２Ｂによって構成されている。
【００６３】
第２収容部３４を構成する第２底壁部３１Ｂには、前後方向に沿って第２スリット３４１が設けられている。第２スリット３４１が形成されていることにより、第２収容部３４に丸型ケーブル３の光ファイバ４を挿通させた場合の突合せ時に撓んだ光ファイバ４を第２スリット３４１（及び後述する舌部側スリット４３）から逃がすことができ、光ファイバ４の湾曲を緩やかにさせることができる。なお、光ファイバ４は、図４Ｂのように下方向に撓むとは限らず、上方向に撓む場合もあり、その場合、撓んだ光ファイバ４を第２収容部３４の内部で逃がすことができる。
【００６４】
第２収容部３４を構成する一対の第２側壁部３２Ｂには、把持爪３４２と第２係止部３４３が設けられている。
【００６５】
把持爪３４２は、一対の第２側壁部３２Ｂの内面から内側に突出し、上下方向に沿った凸条である。把持爪３４２は、上下方向から見たとき、突出側（内側）が鋭くなるように断面略三角形に形成されている。把持爪３４２の稜線は、上下方向に平行である。これにより、上側（開放側)から下側（底側）へ向かって第２収容部３４に角型ケーブル６を押し込みやすくなるとともに、第２収容部３４に収容された角型ケーブル６は前後方向にはズレにくくなる。
【００６６】
それぞれの第２側壁部３２Ｂには、複数の把持爪３４２が前後方向に沿って間隔をあけて配置されている。複数の把持爪３４２のそれぞれの稜線は、互いに平行である。一方の第２側壁部３２Ｂの複数の把持爪３４２は、他方の第２側壁部３２Ｂの複数の把持爪３４２と対向するように配置されている。このように把持爪３４２を対向配置させることによって、角型ケーブル６の外被に幅方向の両側から把持爪３４２を食い込ませやすくなる。
【００６７】
第２係止部３４３は、固定部１８の係止爪部１８２と係合する部位である。より具体的には、第２係止部３４３は、丸型ケーブル３を用いる場合に固定部１８の係止爪部１８２と係合する。
【００６８】
中央部３５は、第１収容部３３と第２収容部３４との間の部位である。中央部３５は、中央底壁部３１Ｃと一対の中央側壁部３２Ｃによって構成されている。中央部３５には、位置決め部３５１と、排出溝３５２と、嵌合穴３５３とが形成されている。
【００６９】
位置決め部３５１は、丸型ケーブル３の外被の口出し部（外被の端部）と接触する部位である。丸型ケーブル３の外被の口出し部を位置決め部３５１に接触させることによって、本体部３０（外被把持部材２０）に対する丸型ケーブル３の前後方向の位置を合わせることができる。
【００７０】
排出溝３５２は、丸型ケーブル３の繊維状抗張力体５を側壁部３２（中央側壁部３２Ｃ）の外側へ排出させる部位である（図３Ａ参照）。排出溝３５２は、側壁部３２の上側（開放側）の縁から形成された切り込み状の部位である。本実施形態では、排出溝３５２は、前後方向において、位置決め部３５１よりも前側（光ファイバ端部側）に配置されている。これにより、丸型ケーブル３の繊維状抗張力体５を排出溝３５２から外側に排出させつつ、丸型ケーブル３の外被の口出し部を位置決め部３５１に接触させやすくなる。もし仮に、排出溝３５２が位置決め部３５１よりも後側に配置された場合には、丸型ケーブル３の口出し部から延び出た繊維状抗張力体５を排出溝３５２から出すときに、繊維状抗張力体５が排出溝３５２側に引っ張られて、丸型ケーブル３の口出し部が排出溝３５２に向かってに移動してしまう。これにより丸型ケーブル３の外被の口出し部が位置決め部３５１から離れてしまう（この結果、丸型ケーブル３の前後方向の位置がズレやすくなってしまう）。
【００７１】
また、排出溝３５２には、テーパ案内部３５２Ａと、湾曲側面３５２Ｂが形成されている。
【００７２】
テーパ案内部３５２Ａは、位置決め部３５１と排出溝３５２との間において前側（光ファイバ端部側）ほど徐々に広がるテーパ形状に形成された部位であり、一対の側壁部３２（中央側壁部３２Ｃ）にそれぞれ設けられている。このテーパ案内部３５２Ａにより、繊維状抗張力体５を排出溝３５２に案内しやすくなる。
【００７３】
湾曲側面３５２Ｂは、排出溝３５２と底壁部３１（中央底壁部３１Ｃ）の下面との間において、側面が内側に窪むように湾曲して形成された部位である。湾曲側面３５２Ｂを設けていることにより、排出溝３５２から側壁部３２の外側に排出した繊維状抗張力体５を底壁部３１の下面に導きやすくなる。
【００７４】
嵌合穴３５３は、舌部４０の嵌合凸部４１（後述）が嵌合する穴であり、中央底壁部３１Ｃに設けられている。この嵌合穴３５３と嵌合凸部４１との嵌合により、舌部４０を本体部３０に仮止めすることが可能となる。
【００７５】
（舌部４０の構成）
舌部４０（挟持部材に相当）は、本体部３０の底壁部３１の外面（舌部収容溝３１１）との間に繊維状抗張力体５を挟み込むための部材である。舌部４０は、ヒンジ部５０を介して、本体部３０と一体に設けられており、ヒンジ部５０の折れ線を軸として、本体部３０の下面側に折り畳み可能になっている（図３Ｂ参照）。舌部４０は、長方形の板形状の部材であり、折り畳んだときに本体部３０の舌部収容溝３１１に収容される。舌部４０は、嵌合凸部４１と、舌部側挟持部４２と、舌部側スリット４３を有している。
【００７６】
嵌合凸部４１は、舌部４０を折り畳むことにより、本体部３０の中央部３５の嵌合穴３５３に嵌合するように設けられている。
【００７７】
舌部側挟持部４２は、本体側挟持部３３１との間で繊維状抗張力体５を挟持固定する部位であり、舌部４０を折り畳んだときに、本体側挟持部３３１と対向する位置に設けられている。また、舌部側挟持部４２には、本体側挟持部３３１の凹凸（第１底壁部３１Ａの外面の凹凸）と噛み合うように凹凸が形成されている。
【００７８】
舌部側スリット４３は、丸型ケーブル３の光ファイバ４の湾曲を逃がすためのスリットであり、本体部３０の第２スリット３４１と連通して前後方向に沿って設けられている。そして、舌部４０を折り畳んだ後、第２スリット３４１とともに丸型ケーブル３の光ファイバ４を逃がすためのスリットを前縁で開口させる。このスリット（舌部側スリット４３と第２スリット３４１とによるスリット）が開口されることによって、第２スリット３４１だけの場合よりも、撓んだ光ファイバ４をさらに逃がすことができ、光ファイバ４の湾曲をより緩やかにさせることができる。
【００７９】
一方、舌部４０には、角型ケーブル６の光ファイバ７を逃がすためのスリットが設けられていない。これは、仮に角型ケーブル６用のスリットが形成されると、繊維状抗張力体５を挟持する部位（舌部側挟持部４２）に前後方向に沿ったスリットが形成されることになり、丸型ケーブル３の繊維状抗張力体５を挟持した際に、繊維状抗張力体５がスリットから外部に出てしまうおそれがあるからである。本実施形態では、舌部４０に角型ケーブル６用のスリットを設けていないので、繊維状抗張力体５を確実に抑える（把持する）ことができる。
【００８０】
ヒンジ部５０は、本体部３０と舌部４０とを一体化する部位であり、本体部３０の前端と舌部４０の後端との間において、舌部４０が折り畳み可能となるように設けられている。前述したように、本実施形態では、外被把持部材２０（本体部３０、舌部４０、ヒンジ部５０）は、樹脂によって一体成形されているが、これには限らず、本体部３０と舌部４０とを別部材とするヒンジ構造でもよい。また。本体部３０と舌部４０とが完全に別部材であってもよい（ヒンジ構造がなくてもよい）。ただし、本実施形態のように本体部３０と舌部４０を一体に成形すると部品数を減らすことができる。
【００８１】
また、ヒンジ部５０は、折り畳まれた状態の舌部４０の自由端（図３Ｃ、図３Ｄにおける後端）から見て、前側（丸型ケーブル３の光ファイバ４の端部側）に位置している。このため、舌部４０を折り畳んで本体部３０との間に繊維状抗張力体５を挟むと、舌部４０は、前側（ヒンジ部５０側）から後側（自由端側）に向かうにつれて本体部３０から離間するように傾斜した状態になる。これにより、外被把持部材２０を固定部１８に挿入するときに、本体部３０と舌部４０とが徐々に押圧されるようにできる。
【００８２】
また、ヒンジ部５０の左右方向に沿った折れ線は、本体部３０の前縁よりも後側に位置している。これにより、舌部４０を折り畳んだときにヒンジ部５０が前側に出っ張らない。
【００８３】
＜丸型ケーブルの場合の組み立て手順＞
図３Ａ〜図３Ｄは、丸型ケーブル３の端末に光コネクタ１００を組み立てる様子を示す説明図である。また、図４Ａは、図４Ａは、外部把持部材２０を固定部１８に挿入した状態を後側から見た図であり、図４Ｂは、外部把持部材２０を固定部１８に挿入した状態の側断面図である。
【００８４】
まず、作業者は、丸型ケーブル３の外被から維状抗張力体５及び光ファイバ４がそれぞれ所定寸法露出するように、丸ケーブル３端部の外被及び維状抗張力体５をカットする。さらに、光ファイバ４の端部の被覆を除去し、所定寸法の光ファイバ４（裸光ファイバ部４Ａ及び被覆部４Ｂ）が丸型ケーブル３から前側に延び出るようにする。なお、光ファイバ４の端部の被覆の除去は、丸型ケーブル３を第１収容部３３に収容した後に行ってもよい。
【００８５】
そして、作業者は、図３Ａに示すように、外被把持部材２０の第１収容部３３に丸型ケーブル３の外被を収容させるとともに、丸型ケーブル３の光ファイバ４を第２収容部３４に挿通させる。丸型ケーブル３は、案内溝３３に案内されて第１収容部３３に収容される。このとき、丸型ケーブル３の外被の口出し部（外被の端部）を外被把持部材２０の位置決め部３５１に接触させることによって、本体部３０（外被把持部材２０）に対する丸型ケーブル３の前後方向の位置を合わせることができる。さらに、作業者は、その状態で丸型ケーブル３の繊維状抗張力体５を、排出溝３５２から側壁部３２の外側へ排出させる。本実施形態では、位置決め部３５１と排出溝３５２との間にテーパ案内部３５２Ａを設けているので、繊維状抗張力体５を、排出溝３５２に案内しやすくなっている。
【００８６】
次に、作業者は、図３Ｂに示すように、排出した繊維状抗張力体５を、湾曲側面３５２Ｂに沿って底壁部３１の本体側挟持部３３１の下面に導く。そして、ヒンジ部５０を折り曲げて舌部４０を本体部３０の底壁部３１の下面に向けて折り畳み、舌部４０の嵌合凸部４１を本体部３０の中央部３５の嵌合穴３５３に嵌合させる。これにより、図３Ｃに示すように、舌部４０は本体部３０に仮止めされ、繊維状抗張力体５は、本体部３０の本体側挟持部３３１と、舌部４０の舌部側挟持部４２との間で挟持される。ただし、本体側挟持部３３１と舌部側挟持部４２との間に繊維状抗張力体５が挟まれていることにより、舌部４０は舌部収容溝３１１に完全に密着せず、図のように舌部４０の自由端（後端）側が本体部３０の下面からはみ出た状態となる。
【００８７】
その後、作業者は、図３Ｄに示すように、光コネクタ本体１０の固定部１８の後側の挿入口に、外被把持部材２０をヒンジ部５０側から挿入する。外被把持部材２０は、本体部３０の下側スライド面３１２が固定部１８の底板部１８Ｃの内面に案内され、サイドスライド面３１３が固定部１８の一対の側板部１８Ｂの内面に案内され、上側スライド面３２１が固定部１８の上板部１８Ａの内面に案内されて、固定部１８に挿入される。このとき、外被把持部材２０の本体部３０と舌部４０は、固定部１８の上板部１８Ａの内面（下面）と、底板部１８Ｃの内面（溝１８３の上面）に上下方向から挟み込まれ、挿入に応じて、外被把持部材２０の本体部３０と舌部４０が徐々に押圧される。すなわち、舌部４０（本体部３０の底壁部３１の舌部収容溝３１１の外側の部位）がスライド面となる。
【００８８】
そして、固定部１８の上板部１８Ａの内面と、底板部１８Ｃの内面が、本体部３０及び舌部４０に接触した状態で、本体側挟持部３３１の凹凸と舌部側挟持部４２の凹凸が噛み合う状態になる。なお、噛み合う状態とは、一方の凸部が、他方の凸部と凸部との間に入り込む状態のことである。これにより、繊維状抗張力体５が確実に把持（固定）され、丸型ケーブル３が十分な保持力で保持される。
【００８９】
また、外被把持部材２０が固定部１８に挿入されると、丸型ケーブル３の光ファイバ４が、光コネクタ本体１０のクランプ部１４の調心溝に挿入される。外被把持部材２０の本体部３０の第２係止部３４３が固定部１８の係止爪部１８２に係合するまで外被把持部材２０が固定部１８に挿入されると、内蔵ファイバの端面と丸型ケーブル３の光ファイバ４の端面とが調心溝上で突き合わされた状態になり、丸型ケーブル３の光ファイバ４が若干撓んだ状態になる（例えば、図４Ｂの点線参照）。この状態において、作業者は、光コネクタ本体１０から介挿部材１９を外し、クランプ部１４によって内蔵ファイバ及び丸型ケーブル３の光ファイバ４を固定する。
【００９０】
＜角型ケーブルの場合の組み立て手順＞
前述したように、本実施形態の光コネクタ１００は、丸型ケーブル３の光ファイバ４だけでなく、角型ケーブル６の光ファイバ７を接続できる。すなわち、外被把持部材２０の前後方向の向きを逆にすることにより、角型ケーブル６を外被把持部材２０に取付けることができる。
【００９１】
図５は、角型ケーブル６の端末に光コネクタ１００を組み立てる場合の説明図である。丸型ケーブル３の場合（図３）と比べて、外被把持部材２０の前後方向の向きが逆になっている。また、角型ケーブル６を用いる場合、作業者は、予め、本体部３０と舌部４０との間に何も配置していない状態で舌部４０を折り畳み、舌部４０を本体部３０の舌部収容溝３１１に収容しておく。
【００９２】
そして、作業者は、角型ケーブル６の断面の長辺方向が上下方向と平行になるようにして、角型ケーブル６の外被を外被把持部材２０の第２収容部３４に収容させる。また、角型ケーブル６の光ファイバ７を第１収容部３３に挿通させる。このとき、第２収容部３４の把持爪３４２が角型ケーブル６の外被に食い込み、角型ケーブル６は、把持爪３４２によって固定（把持）される。また、作業者は、角型ケーブル６から口出しされた光ファイバ７の端部の被覆を除去し、光ファイバ７の端部をカットする。これにより、所定寸法の光ファイバ７（裸光ファイバ部７Ａ及び被覆部７Ｂ）が外被把持部材２０から前側に延び出ているとともに、所定寸法の裸光ファイバ部７Ａが光ファイバ７の端部に設けられる。
【００９３】
次に、作業者は、角型ケーブル６を把持させた外被把持部材２０を固定部１８に挿入させる。外被把持部材２０が固定部１８に挿入されると、角型ケーブル６の光ファイバ７が、光コネクタ本体１０のクランプ部１４の調心溝に挿入される。外被把持部材２０の本体部３０の第１係止部３３４が固定部１８の係止爪部１８２に係合するまで外被把持部材２０が固定部１８に挿入されると、内蔵ファイバの端面と角型ケーブル６の光ファイバ７の端面とが調心溝上で突き合わされた状態になり、角型ケーブル６の光ファイバ７が若干撓んだ状態になる。この状態において、作業者は、光コネクタ本体１０から介挿部材１９を外し、クランプ部１４によって内蔵ファイバ及び角型ケーブル６の光ファイバ７を固定する。
【００９４】
＜変形例＞
図６は、外被把持部材２０の変形例を示す斜視図である。なお、図６は図２Ａと同じ方向から見た図である。図６において、図２Ａと同一構成の部分には同一符号を付し、説明を省略する。
図６に示す外被把持部材２０は、第１収容部３３を構成する一対の第１側壁部３２Ａに丸型ケーブル用把持爪３３６（把持部に相当）を有している。
【００９５】
丸型ケーブル用把持爪３３６は、一対の第１側壁部３２Ａの内面から内側に突出して丸型ケーブル３を把持する部位である。丸型ケーブル用把持爪３３６は、把持爪３４２と同様に、上下方向に沿った凸条であり、上下方向から見たとき、突出側（内側）が鋭くなるように形成されている。また、丸型ケーブル用把持爪３３６の稜線は、上下方向に平行である。これにより、上側（開放側)から下側（底側）へ向かって第１収容部３３に丸型ケーブル３を押し込みやすくなる。
【００９６】
一対の第１側壁部３２Ａには、複数の丸型ケーブル用把持爪３３６が前後方向に沿って間隔をあけて配置されている。複数の丸型ケーブル用把持爪３３６のそれぞれの稜線は、互いに平行である。また、一方の第１側壁部３２Ａの複数の丸型ケーブル用把持爪３３６は、他方の第１側壁部３２Ａの複数の丸型ケーブル用把持爪３３６と対向するように配置されている。
【００９７】
第１収容部３３に丸型ケーブル３を押し込むと、丸型ケーブル用把持爪３３６が丸型ケーブル３を把持する。これにより、第１収容部３３に収容された丸型ケーブル３は前後方向にズレにくくなり、丸型ケーブル３の繊維状抗張力体５を底壁部３１の本体側挟持部３３１の下面に導くときに、丸型ケーブル３を安定して保持できる。
【００９８】
＜小括＞
上記の本実施形態によれば、光コネクタ１００は、底壁部３１と一対の側壁部３２とが形成された本体部３０における底壁部３１及び一対の側壁部３２によって囲まれた空間に、繊維状抗張力体５の層を有する丸型ケーブル３を保持可能な外被把持部材２０と、外被把持部材２０を固定する固定部１８を有する光コネクタ本体１０と、を備えている。また、外被把持部材２０は、本体部３０の底壁部３１の下面（舌部収容溝３１１）との間に繊維状抗張力体５を挟み込むための舌部４０を有し、固定部１８は、舌部４０及び底壁部３１が繊維状抗張力体５を挟み込む上下方向から本体部３０及び舌部４０を挟み込む一対の内面（固定部１８の上板部１８Ａの下面、及び、底板部１８Ｃの溝１８３の上面）を有している。このため、本体部３０と舌部４０との間に繊維状抗張力体５を挟みこんだ状態で、外被把持部材２０を固定部１８に挿入するだけで、本体部３０と舌部４０の間に繊維状抗張力体５を固定でき、丸型ケーブル３を保持することができる。このように、本実施形態では、繊維状抗張力体５の層を有する丸型ケーブル３を外被把持部材２０に保持させる作業を容易にさせつつ、丸型ケーブル３を十分な保持力で保持することができる。
【００９９】
また、本実施形態では、図２Ｂ、図４Ｂに示すように、外被把持部材２０の本体部３０は、嵌合穴３５３を有し、舌部４０は、嵌合穴３５３に嵌合する嵌合凸部４１を有している。これにより、舌部４０を本体部３０に仮止めすることができる。
【０１００】
また、本実施形態では、図２Ｂに示すように、本体部３０と舌部４０は、ヒンジ部５０を介して一体的に成型されている。これにより、部品数を減らすことができる。
【０１０１】
また、本実施形態では、図２Ｂに示すように、ヒンジ部５０は、折り畳まれた状態の舌部４０の自由端（後側端）から見て、前側（丸型ケーブル３の光ファイバ４の端部側）に位置している。これにより、外被把持部材２０を固定部１８に挿入するときに、本体部３０と舌部４０とが徐々に押圧されるようにできる。
【０１０２】
また、本実施形態では、図２Ｂに示すように、本体部３０の前縁は、ヒンジ部５０の折れ線よりも前側（光ファイバ４の端部側）に位置している。これにより、舌部４０を折り畳んだ際に、ヒンジ部５０が出っ張らない。
【０１０３】
また、本実施形態では、図２Ａに示すように、本体部３０は、丸型ケーブル３の外被の端部と接触する位置決め部３５１と、繊維状抗張力体５を側壁部３２の内側から外側に排出する排出溝３５２とを有しており、排出溝３５２は、位置決め部３５１よりも前側（光ファイバ４の端部側）に配置されている。これにより、丸型ケーブル３の繊維状抗張力体５を排出溝３５２から外側に排出させつつ、丸型ケーブル３の外被の口出し部を位置決め部３５１に接触させやすくでき、位置決めがしやすくなる。
【０１０４】
また、本実施形態では、図２Ａに示すように、位置決め部３５１と排出溝３５２との間には、前側（光ファイバ４の端部側）ほど徐々に広がるテーパ案内部３５２Ａが形成されている。これにより、繊維状抗張力体５を排出溝３５２に案内しやすくなる。
【０１０５】
また、本実施形態では、図２Ａに示すように、排出溝３５２と底壁部３１（中央底壁部３１Ｃ）の下面との間には、湾曲した湾曲側面３５２Ｂが形成されている。これにより、排出溝３５２から側壁部３２の外側に排出した繊維状抗張力体５を、底壁部３１の下面に導きやすくなる。
【０１０６】
また、本実施形態では、図２Ｂ及び図３Ｃに示すように、本体部３０の底壁部３１の下面（外面）には、前後方向（光ケーブル４の光軸方向）に沿った舌部収容溝３１１が形成されており、舌部収容溝３１１に舌部４０が配置される。これにより、外被把持部材２０を固定部１８に挿入する際に、本体部３０の舌部収容溝３１１の外側の部位（舌部４０）がスライド面（案内面）となる。
【０１０７】
また、本実施形態では、図１Ｂ及び図４Ａに示すように、固定部１８の一対の内面（上板部１８Ａの下面と、底板部１８Ｃの上面）のうち、舌部４０と対向する底板部１８Ｃの上面には、舌部４０の幅よりも広い溝１８３が形成されている。これにより、舌部収容溝３１１に完全に密着していない舌部４０を逃がすことができる。
【０１０８】
また、本実施形態では、図２Ｂに示すように、第１底壁部３１Ａの下面（外面）には凹凸が形成されており、舌部４０の舌部側挟持部４２には、第１底壁部３１Ａの下面に形成された凹凸と噛み合うように凹凸が形成されている。これにより、繊維状抗張力体５を固定（把持）でき、丸型ケーブル３の保持力を向上させることができる。
【０１０９】
また、本実施形態では、固定部１８の一対の内面（上板部１８Ａの下面と、底板部１８Ｃの上面）が、外被把持部材２０の本体部３０及び舌部４０に接触した状態で、第１底壁部３１Ａの下面（外面）の凹凸と舌部４０の舌部側挟持部４２の凹凸とが噛み合う状態になる。これにより、外被把持部材２０を固定部１８に挿入することで、繊維状抗張力体５をより確実に固定（把持）でき、丸型ケーブル３の保持力を向上させることができる。
【０１１０】
また、本実施形態（変形例）では、図６に示すように、外被把持部材２０は、第１収容部３３を構成する一対の第１側壁部３２Ａから内側に突出して丸型ケーブル３を把持する丸型ケーブル用把持爪３３６を有している。これにより、丸型ケーブル３の繊維状抗張力体５を底壁部３１の本体側挟持部３３１の下面に導くときに、丸型ケーブル３を安定して保持できる。
【０１１１】
また、本実施形態では、図３Ａ及び図５に示すように、外被把持部材２０は、丸型ケーブル３の外被を収容する第１収容部３３とは別に、丸型ケーブル３とは異なる角型ケーブル６の外被を収容する第２収容部３４を有しており、第１収容部３３に丸型ケーブル３の外被を収容させた外被把持部材２０を固定部１８に固定するときと、第２収容部３４に角型ケーブル６の外被を収容させた外被把持部材２０を固定部１８に固定するときとでは、外被把持部材２０の前後方向が逆向きとなる。これにより、光ケーブルの種類ごとに専用の外被把持部材２０を用意しなくて済む。
【０１１２】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１１３】
＜外被把持部材２０について＞
前述の実施形態では、外被把持部材２０が、丸型ケーブル３及び角型ケーブル６の両方を収容可能に構成されていた。但し、外被把持部材２０が丸型ケーブル３のみを把持するように構成されていても良い。この場合、外被把持部材２０が、第２収容部３４を備えていなくても良いし、第１収容部３３の第１係止部３３４を備えていなくても良い。
【符号の説明】
【０１１４】
３  丸型ケーブル、４  光ファイバ、４Ａ  裸光ファイバ部、４Ｂ  被覆部、
５  繊維状抗張力体、６  角型ケーブル、７  光ファイバ、
７Ａ  裸光ファイバ部、７Ｂ  被覆部、
１０  光コネクタ本体、１１  前側ハウジング、
１２  クランプ付きフェルール、１３  フェルール、１４  クランプ部、
１５  スプリング、１６  後側ハウジング、１７  ストップリング部、
１８  固定部、１８Ａ  上板部、１８Ｂ  側板部、１８Ｃ  底板部、
１９  介挿部材、２０  外被把持部材、３０  本体部、
３１  底壁部、３１Ａ  第１底壁部、３１Ｂ  第２底壁部、３１Ｃ  中央底壁部、
３２  側壁部、３２Ａ  第１側壁部、３２Ｂ  第２側壁部、３２Ｃ  中央側壁部、
３３  第１収容部、３４  第２収容部、３５  中央部、
４０  舌部、４１  嵌合凸部、４２  舌部側挟持部、
４３  舌部側スリット、５０  ヒンジ部、
１００  光コネクタ、１８１  突起、１８２  係止爪部、１８３  溝、
３１１  舌部収容溝、３１２  下側スライド面、３１３  サイドスライド面、
３２１  上側スライド面、３３１  本体側挟持部、３３２  第１スリット、
３３３  案内溝、３３４  第１係止部、３３６  丸型ケーブル用把持爪、
３４１  第２スリット、３４２  把持爪、３４３  第２係止部、３５１  位置決め部、
３５２  排出溝、３５２Ａ  テーパ案内部、３５２Ｂ  湾曲側面、
３５３  嵌合穴
【図１】
2017129628.tif 000003
【図２】
2017129628.tif 000004
【図３】
2017129628.tif 000005
【図４】
2017129628.tif 000006
【図５】
2017129628.tif 000007
【図６】
2017129628.tif 000008